(57)【特許請求の範囲】
【請求項１】
軸筒内に、回転カムを前後に摺動案内し回転させるためのカム溝を形成し、このカム溝に、回転カムを摺動自在に配設し、前記軸筒より外方に突出して配設したノック体を操作することにより、軸筒内にスプリングにより軸筒後端方向へ付勢して摺動自在に配置したボールペンレフィルのボールペンチップを軸筒先端開口部より出没可能な回転カムからなる繰出機構を具備してなるノック式ボールペンにおいて、前記回転カムの前方に、前記ボールペンレフィルの後端部と当接し、前記ボールペンレフィルの後方への付勢力を受ける、少なくとも、前記ボールペンレフィルの後端部の外径よりも大径の挿入部と、前記挿入部の後方に、前記ボールペンレフィルの後端部に当接する当接部と、前記当接部の後方に、コイルスプリングの付勢力によって前記回転カムに当接する受け部とを有する支持部材を軸筒内に摺動可能に配設するとともに、前記軸筒が、前記支持部材の外径よりも小さい内径の小径部と、前記小径部よりも後方に、前記小径部の内径及び前記支持部材の外径よりも内径が大きい大径部とを連接して設け、前記支持部材が、軸筒の大径部内を摺動可能、且つ前記小径部と大径部の連接部によって、軸筒先端開口部側への移動を規制してあることを特徴とするノック式ボールペン。
【請求項２】
前記支持部材が、前記挿入部から後方に向かって縮径する傾斜面を有し、前記挿入部より内径が小さい複数本のリブ状突起を設けるとともに、前記当接部が、前記リブ状突起と連接したリブ形状であることを特徴とする請求項１に記載のノック式ボールペン。
【請求項３】
前記軸筒が、少なくとも軸筒本体と、前記軸筒本体の先端部に着脱自在に装着した前軸と、前記軸筒本体の後端部に装着した、前記カム溝を形成した後軸とから構成し、前記後軸の内壁に、前記回転カムの脱落防止のための突部を設けたことを特徴とする請求項１または２に記載のノック式ボールペン。
【発明の詳細な説明】
【技術分野】
【０００１】
本発明は、軸筒内に、回転カムを前後に摺動案内し回転させるためのカム溝を形成し、このカム溝に、回転カムを摺動自在に配設し、前記軸筒より外方に突出して配設したノック体を操作することにより、軸筒内にスプリングにより軸筒後端方向へ付勢して摺動自在に配置したボールペンレフィルのボールペンチップを軸筒先端開口部より出没可能な回転カムからなる繰出機構を具備してなるノック式ボールペンに関する。
【背景技術】
【０００２】
従来から、ボールペン用インキを収容したボールペンレフィルを、軸筒内にスプリングにより軸筒の後端方向へ付勢して摺動自在に配置し、ノック体を操作することによりボールペンレフィルの筆記部となるボールペンチップを軸筒の先端開口部より出没可能な回転カムからなる出没機構を具備したノック式ボールペンの構造はよく知られている。
【０００３】
こうしたノック式ボールペンにおいて、剪断減粘性を有した水性インキや低粘度の油性インキを収容したボールペンレフィルは、落下やノック衝撃によってインキの逆流が発生する恐れがあった。
【０００４】
こうした問題を鑑みて、インキ収容筒内に低粘度インキ又は剪断減粘性インキを収容した出没式ボールペンでは、ポケット等に挿着した状態では、ペン先部が軸筒の先端開口部から没入するように、特開平１０−２６４５８２号公報「ノック式筆記具」や特開２００１−１０５７８５号公報「ノック式筆記具」のように、セーフティー機構を設けることが行われていた。
【０００５】
しかし、こうしたセーフティー機構を設けると、従来の出没機構にさらにセーフティー機構を付加することになり、構造が複雑となり、部品の増加につながり、製造上の問題から低価格品の出没式ボールペンに採用するには難しいという問題があった。
【０００６】
ところで、特開平１０−２３６０７３号公報「ノック式ボールペン」では、レフィルの交換時等に回転カムが脱落しないように、アンダーカットを設けているノック式ボールペンが開示されている。
【特許文献１】特開平１０−２６４５８２号公報
【特許文献２】特開２００１−１０５７８５号公報
【特許文献３】特開平１０−２３６０７３号公報
【発明の開示】
【発明が解決しようとする課題】
【０００７】
しかし、特許文献３のアンダーカットは、回転カムが乗り越え可能な程度にしか突出していないため、回転カムをアンダーカットのみで脱落防止としただけでは、強い衝撃によって、回転カムが脱落する恐れがあった。また、回転カムは、押圧体等のカム部が係合する歯部等、構造が複雑であるため、できるだけ簡略した形状とすることが望まれている。
【０００８】
本発明の目的は、本発明者は上記問題を鑑み、回転カムの形状が簡単で、従来の出没機構を踏襲することができ、落下やノック衝撃によってインキの逆流が発生し難く、回転カムが脱落しないノック式ボールペンを、簡単な構造で提供することである。
【課題を解決するための手段】
【０００９】
本発明は、前記問題を解決するために、軸筒内に、回転カムを前後に摺動案内し回転させるためのカム溝を形成し、このカム溝に、回転カムを摺動自在に配設し、前記軸筒より外方に突出して配設したノック体を操作することにより、軸筒内にスプリングにより軸筒後端方向へ付勢して摺動自在に配置したボールペンレフィルのボールペンチップを軸筒先端開口部より出没可能な回転カムからなる繰出機構を具備してなるノック式ボールペンにおいて、前記回転カムの前方に、前記ボールペンレフィルの後端部と当接し、前記ボールペンレフィルの後方への付勢力を受ける、少なくとも、前記ボールペンレフィルの後端部の外径よりも大径の挿入部と、前記挿入部の後方に、前記ボールペンレフィルの後端部に当接する当接部と、前記当接部の後方に、コイルスプリングの付勢力によって前記回転カムに当接する受け部とを有する支持部材を、前記軸筒内に摺動可能に配設するとともに、前記軸筒が、前記支持部材の外径よりも小さい内径の小径部と、前記小径部よりも後方に、前記小径部の内径及び前記支持部材の外径よりも内径が大きい大径部とを連接して設け、前記支持部材が、軸筒の大径部内を摺動可能、且つ前記小径部と大径部の連接部によって、軸筒先端開口部側への移動を規制してあることを特徴とする。
【００１０】
また、前記支持部材が、前記挿入部から後方に向かって縮径する傾斜面を有し、前記挿入部より内径が小さい複数本のリブ状突起を設けるとともに、前記当接部が、前記リブ状突起と連接したリブ形状であることを特徴とする。
【００１１】
さらにまた、前記軸筒が、少なくとも軸筒本体と、前記軸筒本体の先端部に着脱自在に装着した前軸と、前記軸筒本体の後端部に装着した、前記カム溝を形成した後軸とから構成し、前記後軸の内壁に、前記回転カムの脱落防止のための突部を設けたことを特徴とする。
【００１２】
本願発明の請求項１の構成によれば、前記回転カムの前方に、前記ボールペンレフィルの後端部と当接し、前記ボールペンレフィルの後方への付勢力を受ける、少なくとも、前記ボールペンレフィルの後端部の外径よりも大径の挿入部と、前記挿入部の後方に、前記ボールペンレフィルの後端部に当接する当接部と、前記当接部の後方に、コイルスプリングの付勢力によって前記回転カムに当接する受け部とを有する支持部材を軸筒内に摺動可能に配設するとともに、前記軸筒が、前記支持部材の外径よりも小さい内径の小径部と、前記小径部よりも後方に、前記小径部の内径及び前記支持部材の外径よりも内径が大きい大径部とを連接して設け、前記支持部材が、軸筒の大径部内を摺動可能とすることで、回転カムと支持部材が独立して摺動自在であるため、ノック時の衝撃を緩和することができる。
【００１３】
また、前記支持部材が、前記軸筒本体の小径部と大径部の連接部によって、軸筒先端開口部側への移動を規制することで、組立性を向上するとともに、ボールペンレフィルを交換等、回転カム及び支持部材の脱落を防止することができる。
【００１４】
尚、本発明の支持部材の材質は、ＰＰ樹脂、ＡＢＳ樹脂、ＰＣ樹脂等、特に限定されるものではないが、前記回転カムよりも硬度の低い軟質な材料とすることで、衝撃吸収を効果的に行うことができるので好ましい。
【００１５】
本願発明の請求項２の構成によれば、前記支持部材が、前記挿入部から後方に向かって縮径する傾斜面を有し、前記挿入部より内径が小さい複数本のリブ状突起を設けるとともに、前記当接部が、前記リブ状突起と連接したリブ形状とすることで、ボールペンレフィルを支持部材の当接部まで、スムーズに配設することができ、径方向のガタツキを抑制する効果を奏する。また、ボールペンレフィル後端までの空気を流通し易くすることができる。また、リブ状突起とリブ形状の当接部とを連接することで、支持部材の後端が開口していなくても、ボールペンレフィルの後端に、空気を流通することができる。さらに、支持部材の後端に閉鎖した底部を設けることで、支持部材の強度が向上するので好ましい。
【００１６】
本願発明の請求項３の構成によれば、前記後軸内に、前記回転カムの先端部が当接する脱落防止のための突部を設けることで、後軸内に回転カムを配設した後、軸筒本体と後軸を組立する時にも回転カムが脱落し難く、組立性を向上するとともに、前記した支持部材と連接部による脱落防止との相乗効果により、回転カムの脱落を確実に防止することができる。
【発明の効果】
【００１７】
本発明は、回転カムの形状が簡単で、従来の出没機構を踏襲することができ、落下やノック衝撃によってインキの逆流が発生し難く、回転カムが脱落しないノック式ボールペンを、簡単な構造で提供することができた。
【図面の簡単な説明】
【００１８】
【図１】実施例１のノック式ボールペンのペン先部が突出した状態を示す縦断面図である。
【図２】図１における一部省略した要部拡大断面図である。
【図３】図２における支持部材のＡ−Ａ断面図である。
【図４】図２における筆記体を取り外した状態を示す図である。
【発明を実施するための形態】
【００１９】
実施例１
図１から図４に示す本発明のノック式ボールペン１は、両端が開口した軸筒本体２と、軸筒本体２の先端部に、着脱自在に螺着した前軸３と、軸筒本体２の後端部に乗り越しによって装着した後軸４とで軸筒を構成し、後軸４の内壁面に回転カム５を前後に摺動案内し回転させるためのカム溝（図示せず）を形成し、このカム溝に、回転カム５に形成した突起５ａを係合して配設してある。回転カム５の後端には、回転カム５を摺動し回転を付与するためのカム部（図示せず）を先端に有したノック体６を、後軸後端開口部４ａより外方に突出した状態に配設した、回転カムによる出没機構を具備したノック式ボールペン１であり、後軸４の後端部にはクリップ１２を設けてある。
【００２０】
また、回転カム５の前方には、ボールペンレフィル８のインキ収容筒９の後端部と当接し、ボールペンレフィル８の後方への付勢力を受ける支持部材７を、軸筒本体２の大径部２ｂ内を摺動可能に配設してある。
【００２１】
支持部材７は、ボールペンレフィル８のインキ収容筒９の後端部外径Ｏよりも大径の開口部７ａと、開口部７ａの後方に、開口部７ａから後方に向かって縮径する傾斜面Ｋを有する複数本のリブ状突起７ｂを設けてある。また、リブ状突起７ｂの後方には、ボールペンレフィル８のインキ収容筒９の後端部が当接するリブ状の当接部７ｃを連設してある。また、支持部材７の後端部には、コイルスプリング１１の付勢力によって回転カム５に当接する受け部７ｄと、回転カム５内に挿入される底部７ｅを設けてある。
【００２２】
具体的には、軸筒本体２には、内径Ｌの小径部２ａと、小径部２ａの内径Ｌよりも大きい内径Ｍ（Ｌ＜Ｍ）の大径部２ｂを段状の連接部２ｃによって連接してある。また、支持部材７の先端部外径Ｎは、大径部２ｂの内径Ｍより小さく（Ｍ＞Ｎ）、小径部２ａの内径Ｌよりも大きく（Ｌ＜Ｎ）してあり、軸筒本体２の大径部２ｂ内を摺動可能に配設してある。また、インキ収容筒９の後端部外径Ｏは、支持部材７のリブ状突起７ｂの内径Ｐ以下、且つ当接部７ｃの内径Ｑよりも大きくしてある。（Ｐ≧Ｏ＞Ｑ）
【００２３】
支持部材７の前方には、ボールペン用インキ（図示せず）を収容したインキ収容筒９の先端部にボールペンチップ１０を装着したボールペンレフィル８をコイルスプリング１１により後軸後端開口部４ａ方向へ付勢して、摺動自在に配設してあり、前軸３を軸筒本体２から取り外すことで、ボールペンレフィル８を交換可能としてある。
【００２４】
後軸４内には、回転カム５が乗り越し可能な突起４ｂを設けてあり、回転カム５の脱落し難くしてある。また、軸筒本体２は、小径部２ａと大径部２ｂが、急激な肉厚の変化が生じると成形性が低下するため、連設部２ｃを後方に向かって除々に拡径する傾斜面とし、小径部の外径Ｒと大径部の外径Ｓを内径に略比例して形成（Ｒ＜Ｓ）することが好ましい。また、支持部材７によって回転カムの脱落を防止できるので、回転カム５の最大外径が軸筒本体２の小径部２ａの内径Ｌよりも小さくすることができ、従来の構造をより踏襲し易くすることができる。
【００２５】
ノック式ボールペン１の組立方法の一例について詳述すると、先ず、軸筒本体２の後端開口部から支持部材７を挿入する。その後、軸筒本体２の後端部に、後軸４を乗り越し嵌合によって装着する。この時、後軸４には、予め、ノック体５及び回転カムを順次、後軸４の先端開口部側から挿入してある。さらにその後、ボールペンレフィル８を軸筒本体２の先端開口部から、支持部材７の挿入部７ａに挿入して当接部７ｃに当接させる。その後、軸筒本体２の先端部にコイルスプリング１１を配設した前軸３を螺着して、コイルスプリング１１によって、ボールペンレフィル８を後方に付勢してノック式ボールペン１を作成することができる。
【００２６】
ノック式ボールペン１を使用するには、ノック体６を押圧操作して回転カム５をカム溝に沿って前進させ、ノック体６のカム部の作用により回転カム５を回転させて、ボールペンチップ１０を前軸３の先端開口部３ａより突出させて使用する。さらにノック体６を押圧操作すると、ノック体６のカム部の作用により回転カム５を回転させ、コイルスプリング１１の付勢力によって回転カム５をカム溝に沿って後退させ、ボールペンチップ１０を没入することができる。
【産業上の利用可能性】
【００２７】
本発明のノック式ボールペンは、使用するインキに限定されることなく使用可能であるため、ノック式ボールペンとして広く利用可能である。
【符号の説明】
【００２８】
１  ノック式ボールペン
２  軸筒本体
２ａ  小径部
２ｂ  大径部
２ｃ  連設部
３  前軸
３ａ  先端開口部
４  後軸
４ａ  後端開口部
５  回転カム
６  ノック体
７  支持部材
７ａ  開口部
７ｂ  リブ状突起
７ｃ  当接部
７ｄ  受け部
７ｅ  底部
８  ボールペンレフィル
９  インキ収容筒
１０  ボールペンチップ
１１  コイルスプリング
１２  クリップ
Ｋ  傾斜面
Ｌ  小径部の内径
Ｍ  大径部の内径
Ｎ  支持部材の先端部外径
Ｏ  インキ収容筒の後端部外径
Ｐ  リブ状突起の内径
Ｑ  当接部の内径
Ｒ  小径部の外径
Ｓ  大径部の外径
【図１】
0005679416.tif 000002
【図２】
0005679416.tif 000003
【図３】
0005679416.tif 000004
【図４】
0005679416.tif 000005